(57)【要約】【課題】取出し口を不要として自動販売機を非常にコンパクトにすることを可能とし、しかも構造が非常にシンプルで生産やメンテナンスに手間がかからず、そのため低コストで製造することができる生活雑貨類の自動販売機を提供するものである。【解決手段】生活雑貨等の収納物が積載される収納部と、コイン類を投入する投入口と、取出ボタンとを備えた生活雑貨類の自動販売機において、取出ボタンは上記収納部の底部の受け皿兼分離皿と一体化し、コイン投入口へのコイン類の投入に応じて取出ボタンのロックが解除されて取出ボタンが引出し可能となり、取出ボタンの引出し操作で上記受け皿兼分離皿も自動販売機本体から引き出されて、生活雑貨等の収納物が取得できるようにしたことを特徴とする生活雑貨類の自動販売機。【選択図】　　　　　図１
2004126961.tif 000002
【特許請求の範囲】
【請求項１】
生活雑貨等の収納物が積載される収納部と、コイン類を投入する投入口と、取出ボタンとを備えた生活雑貨類の自動販売機において、取出ボタンは上記収納部の底部の受け皿兼分離皿と一体化し、コイン投入口へのコイン類の投入に応じて取出ボタンのロックが解除されて取出ボタンが引出し可能となり、取出ボタンの引出し操作で上記受け皿兼分離皿も自動販売機本体から引き出されて、生活雑貨等の収納物が取得できるようにしたことを特徴とする生活雑貨類の自動販売機。
【請求項２】
生活雑貨等の収納物が積載される収納部と、コイン類を投入する投入口と、取出ボタンとを備えた生活雑貨類の自動販売機において、収納部、取出ボタンおよびコイン投入口からなる販売ユニットが自動販売機本体に複数並設され、生活雑貨等の収納物が複数の収納物の中から選択して取得できるようにした請求項１に記載の生活雑貨類の自動販売機。
【請求項３】
コイン類の投入に応じて取出ボタンのロックが解除されて取出ボタンを引出し可能とするロック解除手段が、コイン投入口から投入されたコイン類を受取るコイン類保持部と、コイン類保持部の一方の弾性保持片および弾性保持片と連動する取出ボタンの係合片と、取出ボタンに設けられたコイン類の押出し片とを備えており、コイン投入口から投入されてコイン類がコイン類保持部に収受されている際に取出ボタンを引出し操作すると、コイン類の押出し片がコイン類を押出し方向に押して弾性保持片および取出ボタンの係合片をロック解除方向に押し、取出ボタンとともに受け皿兼分離皿が引出されて生活雑貨等の収納物が取得できるようにした請求項１または２に記載の生活雑貨類の自動販売機。
【発明の詳細な説明】
【０００１】
【発明の属する技術分野】この発明は、硬貨その他のコイン類を投入し、歯ブラシ等の生活雑貨からなる収納物を自動販売機本体から取出す自動販売機に関する。
【０００２】
【従来の技術】従来、上記の生活雑貨類の自動販売機としては、生活雑貨等の収納物が積載される収納部と、コイン類を投入する投入口と、選択ボタンとを備えたものが周知である。このような自動販売機においては、コイン投入口へコイン類を投入したのちに選択ボタンを押すと、収納部のロックが解除されて収納物が自動的に取出口に落下し、生活雑貨等の収納物が取得できるようになっている。
【０００３】そしてコイン類の投入により収納部のロックを解除する手段としては、コイン類の重さを利用してコイン類の選別とともにロックを解除する機構や、コイン類の種類を判別するセンサを用い、そのセンサの判別結果でロックを解除する機構等が一般的である。
【０００４】
【発明が解決しようとする課題】しかしながら、従来の自動販売機においては、コイン投入口へコイン類を投入したのちに選択ボタンを押すと、収納部のロックが解除されて収納物が自動的に取出し口に落下するようになっていて、取出口に落下した生活雑貨等の収納物を取得するようになっている。したがって、所定の広さの取出し口が必要となり、また落下の衝撃で生活雑貨等の収納物が損壊してしまうおそれもあった。
【０００５】また、コイン類の重さを利用してコイン類の選別とともにロックを解除する機構や、コイン類の種類を判別するセンサを用い、そのセンサの判別結果でロックを解除する機構等では、コイン類の投入と、ロックの解除および収納物の取出しとが連動しておらず、収納物の取出し操作までの間にチェック項目が多く、トラブルを発生しやすくまたトラブルの解消に手間がかかるという欠点があった。
【０００６】そこで、この発明の生活雑貨類の自動販売機は従来例の上記欠点を解決しようとするものであり、取出し口を不要として自動販売機を非常にコンパクトにすることを可能とし、しかも構造が非常にシンプルで生産やメンテナンスに手間がかからず、そのため低コストで製造することができる生活雑貨類の自動販売機を提供するものである。
【０００７】
【課題を解決するための手段】すなわちこの発明の生活雑貨類の自動販売機は、生活雑貨等の収納物が積載される収納部と、コイン類を投入する投入口と、取出ボタンとを備えた生活雑貨類の自動販売機において、取出ボタンは上記収納部の底部の受け皿兼分離皿と一体化し、コイン投入口へのコイン類の投入に応じて取出ボタンのロックが解除されて取出ボタンが引出し可能となり、取出ボタンの引出し操作で上記受け皿兼分離皿も自動販売機本体から引き出されて、生活雑貨等の収納物が取得できるようにしたことを特徴とするものである。
【０００８】この発明の生活雑貨類の自動販売機は、生活雑貨等の収納物が積載される収納部と、コイン類を投入する投入口と、取出ボタンとを備えた生活雑貨類の自動販売機において、上記収納部、取出ボタンおよびコイン投入口からなる販売ユニットが自動販売機本体に複数並設され、生活雑貨等の収納物が複数の収納物の中から選択して取得できるようにしたことをも特徴としている。
【０００９】この発明の生活雑貨類の自動販売機は、上記コイン類の投入に応じて取出ボタンのロックが解除されて取出ボタンを引出し可能とするロック解除手段が、コイン投入口から投入されたコイン類を受取るコイン類保持部と、コイン類保持部の一方の弾性保持片および弾性保持片と連動する取出ボタンの係合片と、取出ボタンに設けられたコイン類の押出し片とを備えており、コイン投入口から投入されてコイン類がコイン類保持部に収受されている際に取出ボタンを引出し操作すると、コイン類の押出し片がコイン類を押出し方向に押して弾性保持片および取出ボタンの係合片をロック解除方向に押し、取出ボタンとともに受け皿兼分離皿が引出されて生活雑貨等の収納物が取得できるようにしたことをも特徴としている。
【００１０】
【発明の実施の形態】以下に図面を参照して、この発明の好適な実施の形態を例示的に詳しく説明する。ただし、この実施例に記載されている構成部品の寸法、形状、材質、その相対配置などは、特に特定的な記載がないかぎりは、この発明の範囲をそれらのみに限定する趣旨のものではなく、単なる説明例に過ぎない。
【００１１】図１は本発明の生活雑貨類の自動販売機を示す正面図、図２はその内部機構の正面側を示す説明図、図３はその左側から見た端面図、図４はその右側から見た端面図、図５はその上面側から見た端面図、図６は内部機構の裏面側を示す説明図である。
図１に示すように、この発明の生活雑貨類の自動販売機は、自動販売機本体１に生活雑貨等の収納物３が積載される収納部２と、コイン類５を投入する投入口４と、取出ボタン１１とを備えている。
図において、６は広告やメッセージ等を適宜表示する表示板、７は収納部２に沿って設けられた残量表示窓、８は収納物３の色やサイズ、金額（投入するコイン類５の種類）等を表示するための表示部、９は取出ボタン１１と連動する下記受け皿兼分離皿１２を通過させる収納物引出し口である。
【００１２】上記生活雑貨類の自動販売機の内部機構を図２ないし図６に示す。図２ないし図６において、取出ボタン１１は上記収納部２の底部に位置する受け皿兼分離皿１２と一体化してある。すなわち、上記取出ボタン１１は受け皿兼分離皿１２とともに、自動販売機本体１内部に固定されたブラケット１３に進退自在に取り付けられている。３０はブラケット１３の一端を折り曲げて形成した自動販売機本体１への取付部である。
【００１３】上記ブラケット１３はまたスライド部材１４がスライド自在に取付けられている。このスライド部材１４は帯状の開口窓からなるスライドガイド１５を備え、このスライドガイド１５はブラケット１３に設けたスライド片１６に沿ってスライド自在に形成されている。このスライド片１６は、スライド部材１４の打ち抜き工程等に同時に形成することができる。３１はスライド部材１４をスライド自在に保持しつつ抜け止めする止めネジである。そして、スライド部材１４の一端には取出ボタン１１が、また他端にはアーム部３２および前後調整板３３を介して受け皿兼分離皿１２が取付けられている。
【００１４】また、ブラケット１３には取出ボタン１１の下部にコイン投入口４を備えたコイン通路１７が斜めに傾斜して取付けられ、コイン投入口４から投入されたコイン類を受取るコイン類保持部１８にコイン類を導くようになっている。このコイン類保持部１８はコイン吐出部１９の両側に配置した固定保持片２０と弾性保持片２１の一対の保持片を備え、なおかつコイン類の投入に応じて取出ボタン１１のロックを解除して取出ボタン１１を引出し可能とするロック解除手段を構成している。
【００１５】ロック解除手段はさらにコイン類保持部１８の一方の弾性保持片２１および弾性保持片２１と連動する取出ボタン１１の係合片２２と、取出ボタン１１に設けられたコイン類の押出し片２３とを備えている。そして弾性保持片２１および係合片２２はブラケット１３に軸３４を介して軸着した回動板２４の端部に所定の間隔で配置され、先端はそれぞれ回動板２４の板面に直角に折り曲げて形成されている。
【００１６】また、回動板２４の軸着位置を挟んで反対側に設けたフック２５には、ブラケット１３に設けたフック３５との間にコイルバネ２６が取付けられ、回動板２４の弾性保持片２１および係合片２２を、常態においてそれぞれ取出ボタン１１のロック位置とコイン類の保持位置に位置するよう付勢している。
【００１７】取出ボタン１１に設けられたコイン類の押出し片２３は、取出ボタン１１を取付けた上記スライド部材１４に一体的に形成され、さらにスライド部材１４の適所には、上記回動板２４に設けた係合片２２と係合する係合部２７が形成されている。
【００１８】図において２８はブラケット１３に設けた開口部で、ブラケット１３の背面に取り付けた回動板２４から係合片２２をブラケット１３の前面に突出させるためのものである。また２９は、ブラケット１３の背面において、ブラケット１３とスライド部材１４との間にそれぞれフック３６，３７を介して取り付けたコイルバネで、スライド部材１４を常態で取出ボタン１１が引き込まれた位置に戻るよう付勢している。また図中３８は受け皿兼分離皿１２の弾性ガイド板で、ブラケット１３上部に設けた棚板３９上に固着されている。
【００１９】この発明の生活雑貨類の自動販売機は、生活雑貨等の収納物が積載される上記収納部２と、コイン類５を投入する投入口４と、取出ボタン１１とを備えた生活雑貨類の自動販売機において、上記収納部２、取出ボタン１１およびコイン投入口４からなる販売ユニットが自動販売機本体１に複数並設され、生活雑貨等の収納物が複数の収納物の中から選択して取得できるようになっている。その際、上記各収納部２は仕切り板等で仕切られており、その仕切られた部分の底部に受け皿兼分離皿１２が配置されている。
【００２０】上記構成を備えたこの発明の生活雑貨類の自動販売機では、まずコイン類５をコイン投入口４から投入する。そしてコイン類５がコイン投入口４から投入されてコイン類保持部１８に収受されているときに、取出ボタン１１を引出し操作すると、コイン類５の押出し片２３がコイン類５を押出し方向に押し、コイン類５で弾性保持片２１が押されると、同時に取出ボタン１１の係合片２２もロック解除方向に移動する。
【００２１】このようにしてロックが解除されると、取出ボタン１１は最後まで引出すことができるようになる。そして取出ボタン１１とともに受け皿兼分離皿１２が引出され、生活雑貨等の収納物が受け皿兼分離皿１２上から取得できるようになるのである。その際、次の収納物は受け皿兼分離皿１２が元の位置に復帰するまで下降することなく保持され、受け皿兼分離皿１２が復帰した時点で下降を解除されて受け皿兼分離皿１２上に搭載される。
【００２２】このように、実施例の生活雑貨類の自動販売機は、コインを投入口に入れて取出ボタン１１を引出し操作するだけで、１個の生活雑貨類が収納部２から受け皿兼分離皿１２とともに引出せるようにしたものである。したがって機構が単純で装置を非常にコンパクトにすることができる。
【００２３】もちろん、コイン類５を投入しなければ、取出ボタン１１は引出そうとしても引出すことができない。すなわち、コイン類５が存在しないため押出し片２３がコイン類５を押出し方向に押して弾性保持片２１を押すことがなく、したがって取出ボタン１１の係合片２２もロック位置のままであり、取出ボタン１１は係合片２２に係合していて引出せないのである。
【００２４】なお、取出ボタン１１を一定の位置まで引出した場合には、受け皿兼分離皿１２を元の位置に戻せなくしたり、取出ボタン１１を引出した位置で受け皿兼分離皿１２が仮止めされて収納物３を取出しやすくし、またその仮止めを簡単に解除できるようにしたりすることは、適宜、設計事項として行なうことができる。
【００２５】さらにコイン類が逆流しないような逆流防止機構を設けたり、取出ボタン１１のロックが解除されている間に受け皿兼分離皿１２を繰返し出し入れして、１個のコイン類５で多数の収納物を引出すような悪質ないたずらをされないための盗難防止機構を持たせることも自由である。
【００２６】この発明の自動販売機の適用可能な生活雑貨としては、歯間ブラシ等の歯ブラシ類、髭剃り用カミソリ、つまようじや箸類、小さく包装されたシャンプーや石鹸類、その他の生活用品、文房具類、あるいはこれらに類するものが挙げられ、受け皿兼分離皿１２に搭載可能なサイズであって、しかも取出し時に簡単に上に搭載されたものから分離できる形状や構造、例えば平滑表面を備えた包装用容器に収納した状態であることが望ましい。
【００２７】
【発明の効果】この発明によれば、上述のように生活雑貨等の収納物が積載される収納部と、コイン類を投入する投入口と、取出ボタンとを備えた生活雑貨類の自動販売機において、取出ボタンを上記収納部の底部の受け皿兼分離皿と一体化し、コイン投入口へのコイン類の投入に応じて取出ボタンのロックが解除されて取出ボタンが引出し可能となり、取出ボタンの引出し操作で上記受け皿兼分離皿も自動販売機本体から引き出されて、生活雑貨等の収納物が取得できるようにしたので、構造が単純で装置を非常にコンパクトにすることができ、卓上等においても使用することが可能な生活雑貨類の自動販売機を提供することができるようになった。
【００２８】またこの発明の生活雑貨類の自動販売機は、生活雑貨等の収納物が積載される収納部と、コイン類を投入する投入口と、取出ボタンとを備えた生活雑貨類の自動販売機において、上記収納部、取出ボタンおよびコイン投入口からなる販売ユニットが自動販売機本体に複数並設されているので、生活雑貨等の収納物が複数の収納物の中から選択して取得できるようになった。
【００２９】さらにこの発明の生活雑貨類の自動販売機は、上記コイン類の投入に応じて取出ボタンのロックが解除されて取出ボタンを引出し可能とするロック解除手段が、機械式でメンテナンスが簡単であり、しかも非常に薄型とすることができるので上記販売ユニットを自動販売機本体に複数並設するのに大変都合がよい。
【図面の簡単な説明】
【図１】本発明の生活雑貨類の自動販売機を示す正面図である。
【図２】その内部機構の正面側を示す説明図である。
【図３】その左側から見た端面図である。
【図４】その右側から見た端面図である。
【図５】その上面側から見た端面図である。
【図６】内部機構の裏面側を示す説明図である。
【符号の説明】
１　自動販売機本体
２　収納部
３　収納物
４　コイン投入口
５　コイン類
６　表示板
７　残量表示窓
８　表示部
９　収納物引出し口
１１　取出ボタン
１２　受け皿兼分離皿
１３　ブラケット
１４　スライド部材
１５　スライドガイド
１６　スライド片
１７　コイン通路
１８　コイン類保持部
１９　コイン吐出部
２０　固定保持片
２１　弾性保持片
２２　係合片
２３　コイン類の押出し片
２４　回動板
２５　フック
２６　コイルバネ
２７　係合部
２８　開口部
２９　コイルバネ
３０　取付部
３１　止めネジ
３２　アーム部
３３　前後調整板
３４　軸
３５，３６，３７　フック
３８　弾性ガイド板
３９　棚板
【図１】
2004126961.tif 000003
【図２】
2004126961.tif 000004
【図３】
2004126961.tif 000005
【図４】
2004126961.tif 000006
【図５】
2004126961.tif 000007
【図６】
2004126961.tif 000008